【手続補正書】
【提出日】平成17年3月4日(2005.3.4)
【手続補正１】
【補正対象書類名】明細書
【補正対象項目名】発明の名称
【補正方法】変更
【補正の内容】
【発明の名称】デジタル放送受信装置及びデジタル放送受信方法並びにコンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】
トランスポートストリームを受信し、当該トランスポートストリームから放送番組の映像データ及び／又は音声データであるプレゼンテーション情報と、視聴者の番組予約操作を記述している第１スクリプトと当該第１スクリプトに記述されている番組予約操作がなされたとき放送番組を特定する番組特定情報及び当該番組特定情報を予約登録させることを記述した第２スクリプトとを含む予約制御情報と、を抽出する受信抽出手段と、
前記受信抽出手段で抽出したプレゼンテーション情報を外部に出力して番組を再生させる表示処理手段と、
視聴者からの番組予約操作を受け付ける番組予約受付手段と、
前記番組予約受付手段で受け付けた番組予約操作が前記第１スクリプトに記述されている番組予約操作と一致すると、前記第２スクリプトを実行し、当該第２スクリプトに記述されている番組特定情報に特定される放送番組を予約番組として予約登録を行うスクリプト解釈実行手段とを備え、
前記予約登録が前記予約番組の放送時間帯に行われた場合、
前記受信抽出手段は、前記予約番組を含むトランスポートストリームを受信し、当該トランスポートストリームから前記予約番組のプレゼンテーション情報を抽出し、
前記表示処理手段は、前記受信抽出手段により抽出された前記予約番組のプレゼンテーション情報を外部に出力させて、当該表示処理手段により再生されている番組から当該予約番組の再生に切り替えるデジタル放送受信装置。
【請求項２】
デジタル放送送信装置から送信される放送番組の映像データ及び／又は音声データである複数のプレゼンテーション情報と、番組予約のための予約制御情報とが多重化されたトランスポートストリームを受信するデジタル放送受信装置であって、
前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、
前記トランスポートストリームを受信して、プレゼンテーション情報と、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出手段と、
前記抽出されたプレゼンテーション情報に映像データを含む場合、映像データに基づく映像画面を外部のディスプレイへ表示させる表示処理手段と、
視聴者から番組予約操作を受け付ける番組予約受付手段と、
前記第１スクリプトを解釈し、前記番組予約操作が前記第１スクリプトの内容と一致すると、前記第２スクリプトを実行するスクリプト解釈実行手段とを備え、
前記予約登録が前記予約番組の放送時間帯に行われた場合、
前記受信抽出手段は、前記予約番組を含むトランスポートストリームを受信し、当該トランスポートストリームから前記予約番組のプレゼンテーション情報を抽出し、
前記表示処理手段は、前記受信抽出手段により抽出された前記予約番組のプレゼンテーション情報を外部に出力させて、当該表示処理手段により再生されている番組から当該予約番組の再生に切り替えるデジタル放送受信装置。
【請求項３】
前記第１スクリプトは、更に操作オブジェクトを含んでおり、
前記表示処理手段は、前記操作オブジェクトを前記映像画面に重ねて表示する、ことを特徴とする請求項１又は２に記載のデジタル放送受信装置。
【請求項４】
前記第２スクリプトは、複数の番組を特定する情報であり、
前記番組予約受付手段が視聴者から番組予約操作を受け付けると、前記スクリプト解釈実行手段によって第２スクリプトの実行の際に認識される全ての番組を特定する情報を記憶する番組情報記憶手段を更に備えることを特徴とする請求項３に記載のデジタル放送受信装置。
【請求項５】
前記トランスポートストリームには、番組の放送開始時刻と放送時間とを記録したＥＩＴ（Ｅｖｅｎｔ  Ｉｎｆｏｒｍａｔｉｏｎ  Ｔａｂｌｅ）が多重化されており、
前記受信抽出手段は、予約登録が行われたときには、当該予約登録が行われた予約番組に対応するＥＩＴを前記トランスポートストリームから抽出し、
前記スクリプト解釈実行手段は、前記受信抽出手段により抽出された前記予約番組に対応するＥＩＴを参照して、当該予約番組の放送開始時刻を取得する請求項１、請求項２又は請求項４のいずれか１項に記載のデジタル放送受信装置。
【請求項６】
前記スクリプト解釈実行手段は、前記受信抽出手段により抽出された前記予約番組に対応するＥＩＴを参照して、当該予約番組の放送時間を取得する請求項５に記載のデジタル放送受信装置。
【請求項７】
時刻を計時するタイマを更に備え、
前記受信抽出手段は、予約登録が行われたときには、前記タイマに計時されている現在時刻が前記スクリプト解釈実行手段で取得した予約番組の放送開始時刻と比較して当該放送開始時刻を過ぎている時であっても、当該予約番組の放送開始時刻に当該予約番組の放送時間を足した時間内にある場合、前記予約番組を含むトランスポートストリームを受信し、当該トランスポートストリームから前記予約番組のプレゼンテーション情報を抽出する請求項６に記載のデジタル放送受信装置。
【請求項８】
前記トランスポートストリームには、システムテーブルが多重化されており、前記第２スクリプトに含まれる番組を特定する情報は、ｏｒｉｇｉｎａｌ＿ｎｅｔｗｏｒｋ＿ｉｄ、ｔｒａｎｓｐｏｒｔ＿ｓｔｒｅａｍ＿ｉｄ、ｓｅｒｖｉｃｅ＿ｉｄ、ｅｖｅｎｔ＿ｉｄの組からなり、システムテーブルは、この組で特定される番組を抽出するためのテーブルであり、
前記スクリプト解釈実行手段は、システムテーブルを抽出するよう前記受信抽出手段を制御し、前記ＥＩＴに加えて、抽出したシステムテーブルを参照し、前記受信抽出手段を制御することを特徴とする請求項７に記載のデジタル放送受信装置。
【請求項９】
トランスポートストリームを受信し、当該トランスポートストリームから放送番組の映像データ及び／又は音声データであるプレゼンテーション情報と、視聴者の番組予約操作を記述している第１スクリプトと当該第１スクリプトに記述されている番組予約操作がなされたとき放送番組を特定する番組特定情報及び当該番組特定情報を予約登録させることを記述した第２スクリプトとを含む予約制御情報と、を抽出する受信抽出ステップと、
前記受信抽出手段で抽出したプレゼンテーション情報を外部に出力して番組を再生させる表示処理ステップと、
視聴者からの番組予約操作を受け付ける番組予約受付ステップと、
前記番組予約受付ステップで受け付けた番組予約操作が前記第１スクリプトに記述されている番組予約操作と一致すると、前記第２スクリプトを実行し、当該第２スクリプトに記述されている番組特定情報に特定される放送番組を予約番組として予約登録を行うスクリプト解釈実行ステップとを備え、
前記予約登録が前記予約番組の放送時間帯に行われた場合、
前記受信抽出ステップは、前記予約番組を含むトランスポートストリームを受信し、当該トランスポートストリームから前記予約番組のプレゼンテーション情報を抽出し、
前記表示処理ステップは、前記受信抽出手段により抽出された前記予約番組のプレゼンテーション情報を外部に出力させて、当該表示処理手段により再生されている番組から当該予約番組の再生に切り替えるデジタル放送受信方法。
【請求項１０】
デジタル放送送信装置から送信される放送番組の映像データ及び／又は音声データである複数のプレゼンテーション情報と、番組予約のための予約制御情報とが多重化されたトランスポートストリームを受信するデジタル放送受信方法であって、
前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、
前記トランスポートストリームを受信して、プレゼンテーション情報と、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出ステップと、
前記抽出されたプレゼンテーション情報に映像データを含む場合、映像データに基づく映像画面を外部のディスプレイへ表示させる表示処理ステップと、
視聴者から番組予約操作を受け付ける番組予約受付ステップと、
前記第１スクリプトを解釈し、前記番組予約操作が前記第１スクリプトの内容と一致すると、前記第２スクリプトを実行するスクリプト解釈実行ステップとを備え、
前記予約登録が前記予約番組の放送時間帯に行われた場合、
前記受信抽出ステップは、前記予約番組を含むトランスポートストリームを受信し、当該トランスポートストリームから前記予約番組のプレゼンテーション情報を抽出し、
前記表示処理ステップは、前記受信抽出手段により抽出された前記予約番組のプレゼンテーション情報を外部に出力させて、当該表示処理ステップにより再生されている番組から当該予約番組の再生に切り替えるデジタル放送受信方法。
【請求項１１】
トランスポートストリームを受信し、当該トランスポートストリームから放送番組の映像データ及び／又は音声データであるプレゼンテーション情報と、視聴者の番組予約操作を記述している第１スクリプトと当該第１スクリプトに記述されている番組予約操作がなされたとき放送番組を特定する番組特定情報及び当該番組特定情報を予約登録させることを記述した第２スクリプトとを含む予約制御情報と、を抽出する受信抽出ステップと、
前記受信抽出手段で抽出したプレゼンテーション情報を外部に出力して番組を再生させる表示処理ステップと、
視聴者からの番組予約操作を受け付ける番組予約受付ステップと、
前記番組予約受付ステップで受け付けた番組予約操作が前記第１スクリプトに記述されている番組予約操作と一致すると、前記第２スクリプトを実行し、当該第２スクリプトに記述されている番組特定情報に特定される放送番組を予約番組として予約登録を行うスクリプト解釈実行ステップとを備え、
前記予約登録が前記予約番組の放送時間帯に行われた場合、
前記受信抽出ステップは、前記予約番組を含むトランスポートストリームを受信し、当該トランスポートストリームから前記予約番組のプレゼンテーション情報を抽出し、
前記表示処理ステップは、前記受信抽出手段により抽出された前記予約番組のプレゼンテーション情報を外部に出力させて、当該表示処理手段により再生されている番組から当該予約番組の再生に切り替えるデジタル放送受信プログラムを記録したコンピュータ読み取り可能な記録媒体。
【請求項１２】
デジタル放送送信装置から送信される放送番組の映像データ及び／又は音声データである複数のプレゼンテーション情報と、番組予約のための予約制御情報とが多重化されたトランスポートストリームを受信して、前記映像データの映像信号を出力し、外部のディスプレイに表示するデジタル放送受信装置に適用されるプログラムを記録したコンピュータ読み取り可能な記録媒体であって、
前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、
前記トランスポートストリームを受信して、プレゼンテーション情報と視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出ステップと、
前記プレゼンテーション情報に映像データを含む場合、映像データに基づく映像画面を前記ディスプレイへ表示させる表示処理ステップと、
視聴者から番組予約操作を受け付ける番組予約受付ステップと、
前記第１スクリプトを解釈し、前記番組予約操作が前記第１スクリプトの内容と一致すると、前記第２スクリプトを実行するスクリプト解釈ステップを有し、
前記予約登録が前記予約番組の放送時間帯に行われた場合、
前記受信抽出ステップは、前記予約番組を含むトランスポートストリームを受信し、当該トランスポートストリームから前記予約番組のプレゼンテーション情報を抽出し、
前記表示処理ステップは、前記受信抽出手段により抽出された前記予約番組のプレゼンテーション情報を外部に出力させて、当該表示処理ステップにより再生されている番組から当該予約番組の再生に切り替えるデジタル放送受信プログラムを記録した記録媒体。
【手続補正３】
【補正対象書類名】明細書
【補正対象項目名】０００６
【補正方法】変更
【補正の内容】
【０００６】
上記課題を解決するため、本発明は、トランスポートストリームを受信し、当該トランスポートストリームから放送番組の映像データ及び／又は音声データであるプレゼンテーション情報と、視聴者の番組予約操作を記述している第１スクリプトと当該第１スクリプトに記述されている番組予約操作がなされたとき放送番組を特定する番組特定情報及び当該番組特定情報を予約登録させることを記述した第２スクリプトとを含む予約制御情報と、を抽出する受信抽出手段と、前記受信抽出手段で抽出したプレゼンテーション情報を外部に出力して番組を再生させる表示処理手段と、視聴者からの番組予約操作を受け付ける番組予約受付手段と、前記番組予約受付手段で受け付けた番組予約操作が前記第１スクリプトに記述されている番組予約操作と一致すると、前記第２スクリプトを実行し、当該第２スクリプトに記述されている番組特定情報に特定される放送番組を予約番組として予約登録を行うスクリプト解釈実行手段とを備え、前記予約登録が前記予約番組の放送時間帯に行われた場合、前記受信抽出手段は、前記予約番組を含むトランスポートストリームを受信し、当該トランスポートストリームから前記予約番組のプレゼンテーション情報を抽出し、前記表示処理手段は、前記受信抽出手段により抽出された前記予約番組のプレゼンテーション情報を外部に出力させて、当該表示処理手段により再生されている番組から当該予約番組の再生に切り替えることとしている。
【手続補正４】
【補正対象書類名】明細書
【補正対象項目名】００７８
【補正方法】変更
【補正の内容】
【００７８】
以上説明したように、トランスポートストリームをデジタル放送受信装置に送信するデジタル放送送信装置であって、放送番組としての複数の、映像データ及び／又は音声データであるプレゼンテーション情報を記憶しているプレゼンテーション情報記憶手段と、前記デジタル放送受信装置において、視聴者からの番組予約を受け付けるに際して用いられる、視聴者の番組予約操作を記述している第１スクリプトと、操作がなされたとき番組を特定する情報とその情報を予約登録させることを記述した第２スクリプトとからなる予約制御情報を記憶している予約制御情報記憶手段と、前記放送番組を特定する情報と、前記放送番組の放送時間とを記載し、前記放送番組と前記予約制御情報とを対応付けている番組スケジュール情報を記憶している番組スケジュール情報記憶手段と、前記番組スケジュール情報を参照し、前記放送時間に相当する送信時間中、前記プレゼンテーション情報を読み出したものと、前記プレゼンテーション情報に対応する前記予約制御情報を繰り返し読み出したものとを前記トランスポートストリームに多重化する多重化制御手段と、前記トランスポートストリームを送信する送信手段とを備えることとしている。このような構成によって、デジタル放送送信装置を利用する放送番組提供者は、放送番組中で、第１スクリプトに記述した番組予約操作を視聴者から受け付け、第２スクリプトで特定されている番組の予約登録をさせることができる。
【手続補正５】
【補正対象書類名】明細書
【補正対象項目名】００８５
【補正方法】変更
【補正の内容】
【００８５】
また、前記予約制御情報は、映像画面に重ねて表示されるべき操作オブジェクトを含み、予約情報は、操作オブジェクトに対応する操作情報を含み、操作情報は、視聴者の番組予約操作を記述したものであり、前記デジタル放送受信装置において、操作が視聴者によってなされると、操作情報を通じて予約番組が特定されることとしている。このような構成によって、デジタル放送受信装置で放送番組を視聴する視聴者は、予約画面に表示された操作オブジェクトを指示する操作により、予約番組を容易に特定することができる。
また、デジタル放送送信装置から送信される放送番組の映像データ
及び／又は音声データである複数のプレゼンテーション情報と、番組予約のための予約制御情報とが多重化されたトランスポートストリームをするデジタル放送受信装置であって、前記トランスポートストリームを受信して、プレゼンテーション情報と、視聴者の番組予約操作を記述している第１スクリプトと、操作がなされたとき番組を特定する情報とその情報を予約登録させることを記述した第２スクリプトとからなる予約制御情報とを抽出する受信抽出手段と、前記抽出されたプレゼンテーション情報に映像データを含む場合、映像データに基づく映像画面を外部のディスプレイへ表示させる表示処理手段と、視聴者から番組予約操作を受け付ける番組予約受付手段と、前記第１スクリプトを解釈し、前記番組予約操作が前記第１スクリプトの内容と一致すると、前記第２スクリプトを実行するスクリプト解釈実行手段とを備えることとしている。
また、前記予約制御情報は、更に、第３スクリプトを含んでおり、第３スクリプトは、番組の予約がされたとき、再生されているプレゼンテーション情報を他のプレゼンテーションに変更すること、又は、予約制御情報の一部に含まれているグラフィックデータを再生することを記述しており、前記スクリプト解釈実行手段は、前記第３スクリプトを解釈する第３スクリプト解釈部と、前記第３スクリプトの解釈結果がプレゼンテーション情報の変更のとき、他のプレゼンテーション情報への抽出切換えをするよう前記受信抽出手段を制御し、グラフィックデータの再生のとき、前記予約制御情報からグラフィックデータを抽出し、グラフィックデータを表示するよう前記表示処理手段を制御する情報抽出制御部とを有し、前記表示処理手段は、前記映像画面にグラフィックデータを重ねて外部のディスプレイに表示させることとしている。このような構成によって、視聴者は、番組の予約されたことを確実に知ることができる。
また、前記トランスポートストリームには、予約番組に対応するEITと予約番組としてのプレゼンテーション情報が多重化されており、前記スクリプト解釈実行手段で得られた番組を特定する情報を記憶する番組情報記憶手段と、時刻を計時するタイマとを更に備え、前記スクリプト解釈実行手段は、前記番組情報記憶手段に記憶されている番組の情報で特定される番組が記載されたEITを抽出するよう前記受信抽出手段を制御し、前記タイマに計時されている現在時刻を参照し、前記EITに記載された放送時間に到達すると、又は、既に到達していると、前記番組としてのプレゼンテーション情報を抽出するよう前記受信抽出手段を制御することとしている。
また、本発明は、デジタル放送送信装置から送信される放送番組の映像データ及び／又は音声データである複数のプレゼンテーション情報と、番組予約のための予約制御情報とが多重化されたトランスポートストリームを受信して、外部のディスプレイに番組予約画面を表示させるデジタル放送受信装置であって、前記トランスポートストリームを受信して、前記プレゼンテーション情報に映像データを含む場合、プレゼンテーション情報と前記プレゼンテーション情報の映像データに基づく映像画面に重ねて表示されるべきグラフィックデータとグラフィックデータの初期表示態様を指示する命令とを含むグラフィック情報と、番組の予約がされたときその番組を特定する予約情報と、番組の予約がされたとき前記グラフィックデータを初期表示態様から別の表示態様に変更させる命令とを含んでいる予約制御情報とを抽出する受信抽出手段と、前記抽出されたプレゼンテーション情報に映像データを含む場合、映像データに基づく映像画面を前記ディスプレイへ表示させる表示処理手段と、視聴者から番組の予約がされたか否かを判定する番組予約判定手段と、前記番組予約判定手段で、予約がされたと判定されたとき、前記グラフィックデータの表示態様を別の表示態様に変更する命令に基づいて変更し、前記映像画面に重ねて前記ディスプレイに表示するよう前記表示処理手段を制御する制御手段とを備えることとしている。このような構成によって、視聴者は放送番組を見ながら、番組の予約を放送番組を背景に重ねて表示される予約画面を見ながら容易にすることができ、番組の予約ができたことをグラフィックデータの表示態様が変更された予約画面で確認できる。
また、前記予約制御情報は、更に、スクリプトを含んでおり、スクリプトは、番組の予約がされたとき、前記プレゼンテーション情報から他のプレゼンテーションに変更することを記述しており、前記制御手段は、前記スクリプトを解釈するスクリプト解釈部と、前記番組予約判定手段で予約がされたと判定されたとき、前記スクリプト解釈部の解釈結果に基づいて他のプレゼンテーション情報への抽出切換えをするよう前記受信抽出手段を制御する他プレゼンテーション情報抽出制御部とを有することとしている。このような構成によって、番組の予約がされたとき、放送番組の映像データ又は音声データを変更することができ、番組の予約ができたことを更に確実に確認することができる。
また、前記受信抽出手段で抽出された予約制御情報には、映像画面に重ねて表示されるべき複数の操作オブジェクトが含まれ、前記予約情報には、各操作オブジェクトに対応する操作情報が含まれ、各操作情報は、視聴者の操作を記述したものであり、前記表示処理手段は、操作オブジェクトを前記映像画面に重ねて表示し、前記操作を視聴者から受け付ける番組予約受付手段と、前記操作に応じた予約情報で特定される番組のIDを記憶する番組ID記憶手段とを更に備えることとしている。このような構成によって、視聴者は、放送番組の映像画面に重ねて表示された操作オブジェクトを見ながら操作オブジェクトを指示する操作、例えば操作オブジェクトに付された番号に対応するリモコンの番号キーを押下することによって予約情報で特定される番組の予約を容易にすることができる。
更に、本発明は、トランスポートストリームを送信するデジタル放送送信装置とトランスポートストリームを受信して外部のディスプレイに番組予約画面を表示させるデジタル放送受信装置とからなるデジタル放送送受信システムであって、前記デジタル放送送信装置は、放送番組としての複数の、映像データ及び／又は音声データであるプレゼンテーション情報を記憶しているプレゼンテーション情報記憶手段と、前記デジタル放送受信装置において、視聴者からの番組予約を受け付けるに際して用いられる、視聴者の番組予約操作を記述している第１スクリプトと、操作がなされたとき番組を特定する情報とその情報を予約登録させることを記述した第２スクリプトとからなる予約制御情報を記憶している予約制御情報記憶手段と、前記放送番組を特定する情報と、前記放送番組の放送時間とを記載し、前記放送番組と前記予約制御情報とを対応付けている番組スケジュール情報を記憶している番組スケジュール情報記憶手段と、前記番組スケジュール情報を参照し、前記放送時間に相当する送信時間中、前記プレゼンテーション情報を読み出したものと、当該プレゼンテーション情報に対応する前記予約制御情報を繰り返し読み出たものとを前記トランスポートストリームに多重化する多重化制御手段と、前記トランスポートストリームを送信する送信手段とを備え、前記デジタル放送受信装置は、前記トランスポートストリームを受信して、プレゼンテーション情報と予約制御情報とを抽出する表示処理手段と、前記プレゼンテーション情報に映像データを含む場合、映像データに基づく映像画面を前記ディスプレイへ表示させる表示処理手段と、視聴者から番組予約操作を受け付ける番組予約受付手段と、前記第１スクリプトを解釈し、前記番組予約操作が前記第１スクリプトの内容と一致すると、前記第２スクリプトを実行するスクリプト解釈実行手段とを備えることとしている。このような構成によって、デジタル放送送受信システムでは、視聴者は、放送番組の映像画面を見ながら、放送番組提供者が予め予約対象とした番組の予約を容易にすることができる。
また、本発明は、デジタル放送送信装置から送信される放送番組の映像データ及び／又は音声データである複数のプレゼンテーション情報と、番組予約のための予約制御情報とが多重化されたトランスポートストリームを受信して、前記映像データの映像信号を出力し、外部のディスプレイに表示するデジタル放送受信装置に適用されるプログラムを記録したコンピュータ読み取り可能な記録媒体であって、前記トランスポートストリームを受信して、プレゼンテーション情報と視聴者の番組予約操作を記述している第１スクリプトと、操作がなされたとき番組を特定する情報とその情報を予約登録させることを記述した第２スクリプトとからなる予約制御情報とを抽出する受信抽出手段と、前記プレゼンテーション情報に映像データを含む場合、映像データに基づく映像画面を前記ディスプレイへ表示させる表示処理手段と、視聴者から番組予約操作を受け付ける番組予約受付手段と、前記第１スクリプトを解釈し、前記番組予約操作が前記第１スクリプトの内容と一致すると、前記第２スクリプトを実行するスクリプト解釈手段との各機能を発揮するプログラムを記録した記録媒体としている。このような構成によって、この記録媒体をこのような機能を有しないデジタル放送受信装置に適用して番組予約の容易なデジタル放送受信装置を得ることができる。
また、本発明は、トランスポートストリームをデジタル放送受信装置に送信するデジタル放送送信装置であって、前記デジタル放送受信装置において、視聴者からの番組予約を受け付けるに際して用いられる、視聴者の番組予約操作を記述し、操作オブジェクトを含む第１スクリプトと、操作がなされたとき番組を特定する情報とその情報を予約登録させることを記述した第２スクリプトとからなる予約制御情報を記憶している予約制御情報記憶手段と、前記予約制御情報の放送時間を記憶している番組スケジュール情報記憶手段と、前記番組スケジュール情報を参照し、前記放送時間に相当する送信時間中、前記予約制御情報を繰り返し読み出し、前記トランスポートストリームに多重化する多重化制御手段と、前記トランスポートストリームを送信する送信手段とを備えることとしている。このような構成によって、小さな帯域を用いて、操作オブジェクトのみを表示して番組予約を受け付けることのできるトランスポートストリームを送信できる。
また、放送番組としてのプレゼンテーション情報を記憶しているプレゼンテーション情報記憶手段を更に備え、前記番組スケジュール情報記憶手段は、更に前記放送番組の放送時間を記憶し、前記多重化制御手段は、前記放送番組の放送時間に相当する送信時間中、前記プレゼンテーション情報を前記プレゼンテーション情報記憶手段から読み出し、前記トランスポートストリームに多重化することとしている。このような構成によって、デジタル放送受信装置では、操作オブジェクトの提示とともに、映像データ又は音声データを再生出力することができる。
また、本発明は、デジタル放送送信装置から送信される番組予約のための予約制御情報が多重化されたトランスポートストリームを受信する、デジタル放送受信装置であって、前記トランスポートストリームを受信して、視聴者の番組予約操作を記述し、操作オブジェクトを含む第１スクリプトと、操作がなされたとき番組を特定する情報とその情報を予約登録させることを記述した第２スクリプトとからなる予約制御情報を抽出する受信抽出手段と、前記抽出された予約制御情報の第１スクリプトに含まれる操作オブジェクトを外部のディスプレイに表示させる表示処理手段と、視聴者から番組予約操作を受け付ける番組予約受付手段と、前記第１スクリプトを解釈し、前記番組予約操作が前記第１スクリプトの内容と一致すると、前記第２スクリプトを実行するスクリプト解釈実行手段とを備えることとしている。このような構成によって、視聴者は、番組予約を容易にすることができる。
また、前記トランスポートストリームには、音声データであるプレゼンテーション情報が多重化されており、前記第２スクリプトには、更に操作がなされたとき、プレゼンテーション情報を抽出させることを記述しており、前記スクリプト解釈実行手段は、更に前記第２スクリプトに記述されたプレゼンテーション情報を抽出するよう受信抽出手段を制御し、前記受信抽出手段は、前記スクリプト解釈実行手段の制御によりプレゼンテーション情報を抽出し、前記受信抽出手段で抽出された音声データであるプレゼンテーション情報を再生出力する音声処理手段を更に備えることとしている。このような構成によって、予約操作がなされたとき、音声データであるプレゼンテーション情報を再生出力することができる。例えば、音声データに「予約完了」を示すメッセージを含めれば、視聴者は番組予約ができたことを確認できる。
また、前記トランスポートストリームには、映像データであるプレゼンテーション情報が多重化されており、前記第２スクリプトには、更に操作がなされたとき、プレゼンテーション情報を抽出させることを記述しており、前記スクリプト解釈実行手段は、更に前記第２スクリプトに記述されたプレゼンテーション情報を抽出するよう受信抽出手段を制御し、前記受信抽出手段は、前記操作オブジェクトの表示に重ねて、抽出された映像データに基づく映像画面を外部のディスプレイに表示されることとしている。このような構成によって、予約操作がなされたとき、映像データであるプレゼンテーション情報を表示されることができる。例えば、映像データに「予約完了」を示すデータを含めておけば、視聴者は番組予約の完了を確認できる。
また、前記トランスポートストリームには、放送番組の放送時間中音声データであるプレゼンテーション情報が多重化されており、前記受信抽出手段は、更に前記音声データであるプレゼンテーション情報を抽出し、前記抽出された音声データであるプレゼンテーション情報を放送番組の放送時間中再生出力する音声データ処理手段を更に備えこととしている。このような構成によって、バックグラウンドミュージックとしての番組を再生出力できる。
また、前記トランスポートストリームには、放送番組の放送時間中映像データであるプレゼンテーション情報が多重化されており、前記受信抽出手段は、更に前記映像データであるプレゼンテーション情報を抽出し、前記表示処理手段は、抽出された映像データであるプレゼンテーション情報に基づく映像画面を前記操作オブジェクトの背景として外部のディスプレイに表示させることとしている。このような構成によって、操作オブジェクトの背景に映像データを表示することができる。
【手続補正６】
【補正対象書類名】明細書
【補正対象項目名】００８６
【補正方法】変更
【補正の内容】
【００８６】
【発明の効果】
本発明は、トランスポートストリームを受信し、当該トランスポートストリームから放送番組の映像データ及び／又は音声データであるプレゼンテーション情報と、視聴者の番組予約操作を記述している第１スクリプトと当該第１スクリプトに記述されている番組予約操作がなされたとき放送番組を特定する番組特定情報及び当該番組特定情報を予約登録させることを記述した第２スクリプトとを含む予約制御情報と、を抽出する受信抽出手段と、前記受信抽出手段で抽出したプレゼンテーション情報を外部に出力して番組を再生させる表示処理手段と、視聴者からの番組予約操作を受け付ける番組予約受付手段と、前記番組予約受付手段で受け付けた番組予約操作が前記第１スクリプトに記述されている番組予約操作と一致すると、前記第２スクリプトを実行し、当該第２スクリプトに記述されている番組特定情報に特定される放送番組を予約番組として予約登録を行うスクリプト解釈実行手段とを備え、前記予約登録が前記予約番組の放送時間帯に行われた場合、前記受信抽出手段は、前記予約番組を含むトランスポートストリームを受信し、当該トランスポートストリームから前記予約番組のプレゼンテーション情報を抽出し、前記表示処理手段は、前記受信抽出手段により抽出された前記予約番組のプレゼンテーション情報を外部に出力させて、当該表示処理手段により再生されている番組から当該予約番組の再生に切り替えることとしている。このような構成によって、視聴者は、放送番組の多彩な映像画面を見ながら予めデジタル放送送信装置側で特定された番組を指示された予約操作をすることで、容易に予約することができる。
【手続補正７】
【補正対象書類名】明細書
【補正対象項目名】００８７
【補正方法】変更
【補正の内容】
【００８７】
また、デジタル放送送信装置から送信される放送番組の映像データ及び／又は音声データである複数のプレゼンテーション情報と、番組予約のための予約制御情報とが多重化されたトランスポートストリームを受信するデジタル放送受信装置であって、前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、前記トランスポートストリームを受信して、プレゼンテーション情報と、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出手段と、前記抽出されたプレゼンテーション情報に映像データを含む場合、映像データに基づく映像画面を外部のディスプレイへ表示させる表示処理手段と、視聴者から番組予約操作を受け付ける番組予約受付手段と、前記第１スクリプトを解釈し、前記番組予約操作が前記第１スクリプトの内容と一致すると、前記第２スクリプトを実行するスクリプト解釈実行手段とを備え、前記予約登録が前記予約番組の放送時間帯に行われた場合、前記受信抽出手段は、前記予約番組を含むトランスポートストリームを受信し、当該トランスポートストリームから前記予約番組のプレゼンテーション情報を抽出し、前記表示処理手段は、前記受信抽出手段により抽出された前記予約番組のプレゼンテーション情報を外部に出力させて、当該表示処理手段により再生されている番組から当該予約番組の再生に切り替えることとしている。
【手続補正８】
【補正対象書類名】明細書
【補正対象項目名】００９０
【補正方法】変更
【補正の内容】
【００９０】
また、前記トランスポートストリームには、番組の放送開始時刻と放送時間とを記録したＥＩＴ（Ｅｖｅｎｔ  Ｉｎｆｏｒｍａｔｉｏｎ  Ｔａｂｌｅ）が多重化されており、前記受信抽出手段は、予約登録が行われたときには、当該予約登録が行われた予約番組に対応するＥＩＴを前記トランスポートストリームから抽出し、前記スクリプト解釈実行手段は、前記受信抽出手段により抽出された前記予約番組に対応するＥＩＴを参照して、当該予約番組の放送開始時刻を取得することとしている。
また、前記スクリプト解釈実行手段は、前記受信抽出手段により抽出された前記予約番組に対応するＥＩＴを参照して、当該予約番組の放送時間を取得することとしている。
また、時刻を計時するタイマを更に備え、前記受信抽出手段は、予約登録が行われたときには、前記タイマに計時されている現在時刻が前記スクリプト解釈実行手段で取得した予約番組の放送開始時刻と比較して当該放送開始時刻を過ぎている時であっても、当該予約番組の放送開始時刻に当該予約番組の放送時間を足した時間内にある場合、前記予約番組を含むトランスポートストリームを受信し、当該トランスポートストリームから前記予約番組のプレゼンテーション情報を抽出することとしている。このような構成によって、予約した番組を番組の放送時間になれば、再生することができる。また、番組の予約が、予約する番組の放送時間帯に行われたときには、番組の選局と同様の効果を発揮して、放送番組から予約番組の再生に直ぐに切り替えることができる。
【手続補正９】
【補正対象書類名】明細書
【補正対象項目名】００９２
【補正方法】削除
【補正の内容】
【手続補正１０】
【補正対象書類名】明細書
【補正対象項目名】００９３
【補正方法】削除
【補正の内容】
【手続補正１１】
【補正対象書類名】明細書
【補正対象項目名】００９４
【補正方法】削除
【補正の内容】
【手続補正１２】
【補正対象書類名】明細書
【補正対象項目名】００９５
【補正方法】削除
【補正の内容】
【手続補正１３】
【補正対象書類名】明細書
【補正対象項目名】００９６
【補正方法】削除
【補正の内容】
【手続補正１４】
【補正対象書類名】明細書
【補正対象項目名】００９７
【補正方法】削除
【補正の内容】
【手続補正１５】
【補正対象書類名】明細書
【補正対象項目名】００９８
【補正方法】削除
【補正の内容】
【手続補正１６】
【補正対象書類名】明細書
【補正対象項目名】００９９
【補正方法】変更
【補正の内容】
【００９９】
また、本発明は、トランスポートストリームを受信し、当該トランスポートストリームから放送番組の映像データ及び／又は音声データであるプレゼンテーション情報と、視聴者の番組予約操作を記述している第１スクリプトと当該第１スクリプトに記述されている番組予約操作がなされたとき放送番組を特定する番組特定情報及び当該番組特定情報を予約登録させることを記述した第２スクリプトとを含む予約制御情報と、を抽出する受信抽出ステップと、前記受信抽出手段で抽出したプレゼンテーション情報を外部に出力して番組を再生させる表示処理ステップと、視聴者からの番組予約操作を受け付ける番組予約受付ステップと、前記番組予約受付ステップで受け付けた番組予約操作が前記第１スクリプトに記述されている番組予約操作と一致すると、前記第２スクリプトを実行し、当該第２スクリプトに記述されている番組特定情報に特定される放送番組を予約番組として予約登録を行うスクリプト解釈実行ステップとを備え、前記予約登録が前記予約番組の放送時間帯に行われた場合、前記受信抽出ステップは、前記予約番組を含むトランスポートストリームを受信し、当該トランスポートストリームから前記予約番組のプレゼンテーション情報を抽出し、前記表示処理ステップは、前記受信抽出手段により抽出された前記予約番組のプレゼンテーション情報を外部に出力させて、当該表示処理手段により再生されている番組から当該予約番組の再生に切り替えることとしている。このような方法によって、視聴者は、デジタル放送受信装置において、番組予約を容易にすることができる。
【手続補正１７】
【補正対象書類名】明細書
【補正対象項目名】０１００
【補正方法】変更
【補正の内容】
【０１００】
また、本発明は、デジタル放送送信装置から送信される放送番組の映像データ及び／又は音声データである複数のプレゼンテーション情報と、番組予約のための予約制御情報とが多重化されたトランスポートストリームを受信するデジタル放送受信方法であって、前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、前記トランスポートストリームを受信して、プレゼンテーション情報と、視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出ステップと、前記抽出されたプレゼンテーション情報に映像データを含む場合、映像データに基づく映像画面を外部のディスプレイへ表示させる表示処理ステップと、視聴者から番組予約操作を受け付ける番組予約受付ステップと、前記第１スクリプトを解釈し、前記番組予約操作が前記第１スクリプトの内容と一致すると、前記第２スクリプトを実行するスクリプト解釈実行ステップとを備え、前記予約登録が前記予約番組の放送時間帯に行われた場合、前記受信抽出ステップは、前記予約番組を含むトランスポートストリームを受信し、当該トランスポートストリームから前記予約番組のプレゼンテーション情報を抽出し、前記表示処理ステップは、前記受信抽出手段により抽出された前記予約番組のプレゼンテーション情報を外部に出力させて、当該表示処理ステップにより再生されている番組から当該予約番組の再生に切り替えることとしている。
【手続補正１８】
【補正対象書類名】明細書
【補正対象項目名】０１０１
【補正方法】変更
【補正の内容】
【０１０１】
また、本発明は、トランスポートストリームを受信し、当該トランスポートストリームから放送番組の映像データ及び／又は音声データであるプレゼンテーション情報と、視聴者の番組予約操作を記述している第１スクリプトと当該第１スクリプトに記述されている番組予約操作がなされたとき放送番組を特定する番組特定情報及び当該番組特定情報を予約登録させることを記述した第２スクリプトとを含む予約制御情報と、を抽出する受信抽出ステップと、前記受信抽出手段で抽出したプレゼンテーション情報を外部に出力して番組を再生させる表示処理ステップと、視聴者からの番組予約操作を受け付ける番組予約受付ステップと、前記番組予約受付ステップで受け付けた番組予約操作が前記第１スクリプトに記述されている番組予約操作と一致すると、前記第２スクリプトを実行し、当該第２スクリプトに記述されている番組特定情報に特定される放送番組を予約番組として予約登録を行うスクリプト解釈実行ステップとを備え、前記予約登録が前記予約番組の放送時間帯に行われた場合、前記受信抽出ステップは、前記予約番組を含むトランスポートストリームを受信し、当該トランスポートストリームから前記予約番組のプレゼンテーション情報を抽出し、前記表示処理ステップは、前記受信抽出手段により抽出された前記予約番組のプレゼンテーション情報を外部に出力させて、当該表示処理手段により再生されている番組から当該予約番組の再生に切り替えるデジタル放送受信プログラムを記録したコンピュータ読み取り可能な記録媒体としている。
【手続補正１９】
【補正対象書類名】明細書
【補正対象項目名】０１０２
【補正方法】変更
【補正の内容】
【０１０２】
また、本発明は、デジタル放送送信装置から送信される放送番組の映像データ及び／又は音声データである複数のプレゼンテーション情報と、番組予約のための予約制御情報とが多重化されたトランスポートストリームを受信して、前記映像データの映像信号を出力し、外部のディスプレイに表示するデジタル放送受信装置に適用されるプログラムを記録したコンピュータ読み取り可能な記録媒体であって、前記トランスポートストリームには、前記放送番組の放送時間に相当する送信時間中、当該放送番組のプレゼンテーション情報と、当該放送番組に関連付けられた放送番組の予約制御情報を繰り返したものとが多重化されており、前記トランスポートストリームを受信して、プレゼンテーション情報と視聴者の番組予約操作を記述している第１スクリプトと、当該第１スクリプトに記述されている番組予約操作がなされたとき番組を特定する情報とその情報を予約登録させることを記述した第２スクリプトとからなる予約制御情報とを抽出する受信抽出ステップと、前記プレゼンテーション情報に映像データを含む場合、映像データに基づく映像画面を前記ディスプレイへ表示させる表示処理ステップと、視聴者から番組予約操作を受け付ける番組予約受付ステップと、前記第１スクリプトを解釈し、前記番組予約操作が前記第１スクリプトの内容と一致すると、前記第２スクリプトを実行するスクリプト解釈ステップを有し、前記予約登録が前記予約番組の放送時間帯に行われた場合、前記受信抽出ステップは、前記予約番組を含むトランスポートストリームを受信し、当該トランスポートストリームから前記予約番組のプレゼンテーション情報を抽出し、前記表示処理ステップは、前記受信抽出手段により抽出された前記予約番組のプレゼンテーション情報を外部に出力させて、当該表示処理ステップにより再生されている番組から当該予約番組の再生に切り替えることとしている。
【手続補正２０】
【補正対象書類名】明細書
【補正対象項目名】０１０３
【補正方法】変更
【補正の内容】
【０１０３】
このような記録媒体をこのような機能を有しないデジタル放送受信装置に適用して番組予約の容易なデジタル放送受信装置を得ることができる。